(57)【特許請求の範囲】
【請求項１】
一部又は全部が透水性を有する長尺状の外壁部と、
上記外壁部によって囲まれ、該外壁部の長手方向に連通された流路となる中空部とを備え、
上記外壁部は、長手方向の一端部から他端部にかけて、上記中空部の断面積が小さくなることを特徴とするドレーン材。
【請求項２】
上記外壁部は、長手方向の一端部から他端部にかけて、暫時又は段階的に、上記中空部の断面積が小さくなることを特徴とする請求項１記載のドレーン材。
【請求項３】
地盤中の水分を排出して地盤改良を行う地盤改良装置において、
上記地盤に打設され、一部又は全部が透水性を有する長尺状の外壁部と、該外壁部によって囲まれ該外壁部の長手方向に連通された流路となる中空部とを有する鉛直ドレーン材と、
上記鉛直ドレーン材の一端部において該鉛直ドレーン材の中空部と連通される長尺状の外壁部と、該外壁部によって囲まれ該外壁部の長手方向に連通された流路となる中空部とを有する水平ドレーン材とを備え、
上記鉛直ドレーン材及び／又は上記水平ドレーン材は、各外壁部が、長手方向の一端部から他端部にかけて、該中空部の断面積が小さくなることを特徴とする地盤改良装置。
【発明の詳細な説明】
【技術分野】
【０００１】
本発明は、地盤を軟弱化させている地盤中に含まれる水分等を排出し、軟弱地盤を改良するために用いられるドレーン材、及び、このドレーン材を用いた地盤改良装置に関する。
【背景技術】
【０００２】
軟弱地盤中の水分を排出することにより軟弱地盤を硬質地盤に改良する軟弱地盤の改良方法として、通水性を有する砂等からなるサンドマットを地表面に覆い、地盤鉛直方向に鉛直ドレーン材を打設する工法が知られている。
【０００３】
また、軟弱地盤中に鉛直ドレーン材を打設し、この軟弱地盤を密封シートで覆い、鉛直ドレーン材を介して地盤中の水分等を抜き取って地盤の圧密を促進する真空圧密による軟弱地盤改良工法である、いわゆる大気圧工法も知られている。この大気圧工法は、軟弱地盤を圧密するために軟弱地盤上を密封シートで覆うことにより、軟弱地盤中に真空状態を作り出し、地表面に臨まされた鉛直ドレーン材に減圧手段であるポンプを接続することにより、軟弱地盤中の水分等を排出することができる。
【０００４】
また、他の軟弱地盤改良方法では、密封シートを用いる代わりに、上端に端部から一定長さ分だけ、内部は通水性を有し、周面からの通気を遮断させた不透気部が設けられたドレーン材を用い、地表面から所定の深さまでの地盤を密封層として利用する方法についても知られている。さらに、地表面に、粘土質の盛土をすることにより、密封層を人工的に形成するようにすることも知られている。
【０００５】
これらの工法は、盛土、密封シート等の準備及び撤去、さらにこれらに要する費用など様々な事情を考慮し、施工者等により適宜選択されるものである。しかし、いずれの工法を選択したとしても、ドレーン材は必要不可欠である。
【０００６】
ところで、上述の方法により軟弱地盤の改良を行う際に用いられてきたドレーン材は、鉛直ドレーン材、水平ドレーン材のいずれも断面寸法が一定であり、ドレーン材を流れる水の流量の変化について着目したものは少なかった。
【０００７】
【特許文献１】特開２００１−２２６９５１号公報
【発明の開示】
【発明が解決しようとする課題】
【０００８】
そこで、本発明は、上述の実情に鑑みてなされたものであり、コストを抑えて通水能力を向上させ、あるいは通水能力を維持してコストを低減させることができるドレーン材、及び、このドレーン材を用いた地盤改良装置を提供することを目的とする。
【課題を解決するための手段】
【０００９】
上述の課題を解決するために、本発明に係るドレーン材は、一部又は全部が透水性を有する長尺状の外壁部と、上記外壁部によって囲まれ、該外壁部の長手方向に連通された流路となる中空部とを備え、上記外壁部は、長手方向の一端部から他端部にかけて、上記中空部の断面積が小さくなることを特徴とする。
【００１０】
また、上記外壁部は、長手方向の一端部から他端部にかけて、暫時又は段階的に、上記中空部の断面積が小さくなるようにしてもよい。
【００１１】
また、本発明に係る地盤改良装置は、地盤中の水分を排出して地盤改良を行う地盤改良装置において、上記地盤に打設され、一部又は全部が透水性を有する長尺状の外壁部と、該外壁部によって囲まれ該外壁部の長手方向に連通された流路となる中空部とを有する鉛直ドレーン材と、上記鉛直ドレーン材の一端部において該鉛直ドレーン材の中空部と連通される長尺状の外壁部と、該外壁部によって囲まれ該外壁部の長手方向に連通された流路となる中空部とを有する水平ドレーン材とを備え、上記鉛直ドレーン材及び／又は上記水平ドレーン材は、各外壁部が、長手方向の一端部から他端部にかけて、該中空部の断面積が小さくなることを特徴とする。
【発明の効果】
【００１２】
本発明は、外壁部が、長手方向の一端部から他端部にかけて、中空部の断面積が小さくなる構造を有するドレーン材であり、流量に応じた中空部の断面積を有するので、材料面での無駄がなく、従来と比してコスト削減を図ることができる。
【発明を実施するための最良の形態】
【００１３】
以下、本発明に係る地盤改良装置及びこの地盤改良装置に用いられるドレーン材の実施の形態について、図面を参照して詳細に説明する。
【００１４】
地盤改良装置１は、図１乃至図３に示すように、軟弱地盤２中に所定の長さ地表面２ａから臨まされて打設された鉛直ドレーン材１０と、地表面２ａ上に盛られた第１の盛土層３と、第１の盛土層３上に配設され鉛直ドレーン材１０が連結された水平ドレーン材２０と、水平ドレーン材２０を覆い、水平ドレーン材２０を含む軟弱地盤２を密封するように盛られた第２の盛土層４とから構成されている。
【００１５】
地盤改良装置１は、軟弱地盤２上に盛られた盛土層３により当該軟弱地盤２が圧密され、軟弱地盤２に所定の深さに打設された鉛直ドレーン材１０と、この鉛直ドレーン材１０と連結された水平ドレーン材２０とにより、地盤中の水分、空気等が図１中矢印Ａ及び矢印Ｂに示す方向に、排出され、地盤の改良を行う装置である。地盤改良装置１は、例えば、地盤改良装置１は、図２、図３に示すように、３００［ｍ］四方の軟弱地盤２に略１［ｍ］間隔で、例えば、３０〜５０［ｍ］の深さに格子状に打設された鉛直ドレーン材１０に対し、水平ドレーン材２０が連結され、地盤中の水分等を排出する。
【００１６】
軟弱地盤２上に盛られる第１の盛土層３は、軟弱地盤２に対し圧密を行うとともに、鉛直ドレーン材１０を軟弱地盤２中に打設する打設機等の足場となるものであり、普通土を盛ることにより形成される層である。また、水平ドレーン材２０を覆うように盛られる第２の盛土層４は、軟弱地盤２を密封し圧密するものであり、第１の盛土層３と同様に、普通土を盛ることにより形成される層である。
【００１７】
鉛直ドレーン材１０は、図４、図５に示すように、長尺状の外壁１１とこの外壁１１により囲まれて形成される中空部１２とを有する。鉛直ドレーン材１０の外壁１１は、透水性を有する透水部材から形成されている。鉛直ドレーン材１０の外壁１１は、図５（Ａ）に示すように、上端１１ｂから下端１１ａにかけて、中空部１２の断面積が小さくなるように形成されている。これは、上流側すなわち外壁１１の下端１１ａ側の排水能力と、下流側すなわち外壁１１の上端１１ｂ側の排水能力が異なり、下流側の方が排水の流量が多くなることを想定してのものであり、これにより材料費の節約を行うことができる。具体的には、鉛直ドレーン材１０の外壁１１は、図５（Ａ）に示すように、上端１１ｂにおける厚みＳ１と、下端１１ａにおける厚みＳ２とが、Ｓ１＞Ｓ２となる関係を有し、その厚みはＳ１から暫時Ｓ２となるように形成されている。
【００１８】
なお、鉛直ドレーン材１０の外壁１１は、上述のように、上端１１ｂから下端１１ａにかけて、中空部１２の断面積が次第に小さくなるように形成されることに限らず、例えば、図５（Ｂ）に示すように、上端１１ｂから下端１１ａにかけて、中空部１２の断面積が段階的に小さくなるように形成されるものであってもよい。具体的には、図５（Ｂ）に示す鉛直ドレーン材４０は、それぞれ厚みの異なる外壁４１、４２、４３、４４を連結して形成されている。各外壁４１〜４４は、それぞれＳ３〜Ｓ６の厚みを有し、その厚みがＳ３＞Ｓ４＞Ｓ５＞Ｓ６に形成されている。また、鉛直ドレーン材４０は、例えば、外壁４１と外壁４２の端部同士を突き合わせ、粘着テープ４５により連結される。鉛直ドレーン材４０は、同様にして、隣接する外壁同士を突き合わせ、粘着テープ４５により連結して形成される。鉛直ドレーン材４０は、所定長さを有する外壁４１〜４４を、上端４０ｂから下端４０ａにかけて、段階的に厚みが小さくなるように連結して形成されている。なお、鉛直ドレーン材４０は、図５（Ｂ）においては、４つの外壁４１〜４４を連結することにより形成されているが、これに限らず、複数段連結し、中空部１２の断面積が段階的に小さくなるように形成されるものであればいかなるものであってもよい。また、鉛直ドレーン材４０は、粘着テープ４５により、連結することについて述べたが、これに限らず、例えば、接着剤、ステイプルなどの結束具等により連結させ形成するようにしてもよい。さらに、鉛直ドレーン材４０に用いられる粘着テープ４５は、透水性を有するように、間欠的に多数の透水孔を有するものであることが好ましい。さらに、鉛直ドレーン材４０は、各外壁４１〜４４を突き合わせて、粘着テープ４５により連結させることについて述べたが、一方の外壁の端部に他方の外壁の端部を突きさすようにしてもよい。
【００１９】
また、鉛直ドレーン材１０の外壁１１は、断面略矩形形状であり、外壁１１により内部に中空部１２が形成される。鉛直ドレーン材１０は、軟弱地盤２中に所定の深さに打設され、上端１１ｂが所定の長さ軟弱地盤２の地表面２ａから臨まされるように配設される。鉛直ドレーン材１０は、外壁１１が透水性を有することから、軟弱地盤２中の水分を排出することにより軟弱地盤の改良を行なうために、当該軟弱地盤２に鉛直に配置される。鉛直ドレーン材１０は、図２及び図３に示すように、複数本が例えば１ｍ間隔に軟弱地盤２に配置され、それぞれの外壁１１の上端１１ｂが水平ドレーン材２０と連結され、この水平ドレーン材２０を介して、軟弱地盤２中の水分を排出する。
【００２０】
鉛直ドレーン材１０の外壁１１は、図４に示すように、透水性材料からなり、この外壁１１により中空部１２が設けられる。この中空部１２内には、ある程度の可撓性と形状保持性を有する芯材１３が設けられている。外壁１１は、断面が略矩形で、外壁１１と芯材１３との隙間により形成される中空部１２に、軟弱地盤２中の水分が通水される。
【００２１】
鉛直ドレーン材１０の芯材１３は、長手方向に多数の溝を有し、その溝が軟弱地盤２中の外壁１１を透水した水分の通水路となる。芯材１３は、地盤改良における地盤の沈下による追従性・伸縮性、運搬等の利便性を考慮してある程度の可撓性を有するとともに、軟弱地盤２への打設後において十分な通水路を確保するための形状保持性を有する、例えばプラスチック等の樹脂材料から形成される。芯材１３は、例えば、塩化ビニル、ポリエチレンなどの材料から形成される。また、芯材１３は、外壁１１の形状に合わせて、すなわち、外壁１１がその上端１１ｂから下端１１ａにかけて中空部１２の断面積が小さくなるように形成されていることに応じて、芯材１３の幅方向における溝の数を減らす、または、高さ方向における溝の高さを下げるように形成されている。
【００２２】
なお、芯材１３は、上述に限らず、地盤改良における地盤の沈下による追従性・伸縮性、運搬等の利便性を考慮した可撓性と通水路となる中空部１２が確保できる形状保持性を有するものであれば、いかなる材質、形状からなるものであってもよい。また、芯材１３は、上述に限らず、生分解性の樹脂材料で形成することにより、環境へ配慮したものとすることができる。
【００２３】
外壁１１は、透水性を有する材料から形成され、芯材１３の外周を中空部１２を残して覆うように形成されている。外壁１１は、例えば、ポリエステル製の不織布から形成され、軟弱地盤２中の水分を中空部１２に透過させ、透過した水分を水平ドレーン材２０に通水し排出する。なお、外壁１１は、芯材１３と同様に、生分解性の樹脂材料で形成することにより、鉛直ドレーン材１０全体を地盤中に残した場合であっても環境に配慮したものとすることができる。
【００２４】
このような鉛直ドレーン材１０は、周知の打設装置を使用して軟弱地盤２に所定の間隔を設けて複数本鉛直に打設される。なお、この鉛直ドレーン材１０は、下端に図示しないアンカーを巻き付ける等することにより所定位置に打設する。その際、鉛直ドレーン材１０の下端部を折返し状態となるようにすることで、下端からの砂等の進入を防止することができる。
【００２５】
鉛直ドレーン材１０は、例えば、連続的に高さ又は幅を変化させながら押出し成形することで芯材１３を成形し、外壁１１となる不織布材料を覆うことにより形成する。このように形成される鉛直ドレーン材１０は、製造工場等にてロール状に巻回し、打設装置に設置する。
【００２６】
続いて、水平ドレーン材２０について説明をする。
【００２７】
水平ドレーン材２０は、図６、図７に示すように、長尺状の外壁２１とこの外壁２１により囲まれて形成される中空部２２とを有する。水平ドレーン材２０の外壁２１は、鉛直ドレーン材１０からの水を軟弱地盤２外に排水する排水部材であり、鉛直ドレーン材１０と同様の透水性を有する材料により形成される。水平ドレーン材２０の外壁２１は、図７（Ａ）に示すように、下流側端部２１ｂから上流側端部２１ａにかけて、中空部２２の断面積が小さくなるように形成されている。これは、鉛直ドレーン材１０と同様に、上流側の排水能力と、下流側の排水能力が異なり、下流側の方が排水の流量が多くなることを想定してのものであり、これにより材料費の節約を行うことができる。具体的には、水平ドレーン材２０の外壁２１は、図７（Ａ）に示すように、下流側端部２１ｂにおける幅Ｔ１と、上流側端部２１ａにおける幅Ｔ２とが、Ｔ１＞Ｔ２となる関係を有し、その幅はＴ１から暫時Ｔ２となるように形成されている。なお、水平ドレーン材２０は、上流側端部２１ａにおいては、端部を折返し図示しない重石、ステイプル等により、閉塞するようにし、上流側端部２１ａからの排水の流出を防止する。
【００２８】
なお、水平ドレーン材２０の外壁２１は、上述のように、下流側端部２１ｂから上流側端部２１ａにかけて、中空部２２の断面積が次第に小さくなるように形成されることに限らず、例えば、図７（Ｂ）に示すように、下流側端部２１ｂから上流側端部２１ａにかけて、中空部２２の断面積が段階的に小さくなるように形成されるものであってもよい。具体的には、図７（Ｂ）に示す水平ドレーン材５０は、それぞれ幅の異なる外壁５１、５２、５３、５４を連結して形成されている。各外壁５１〜５４は、それぞれＴ３〜Ｔ６の幅を有し、その幅がＴ３＞Ｔ４＞Ｔ５＞Ｔ６に形成されている。また、水平ドレーン材５０は、外壁５１の端部に外壁５２の端部を突きさし嵌合させることにより連結される。水平ドレーン材５０は、同様にして、隣接する外壁の端部同士を突きさし嵌合することにより連結して形成される。水平ドレーン材５０は、所定長さを有する外壁５１〜５４を、下流側端部５０ｂから上流側端部５０ａにかけて、段階的に幅が小さくなるように連結して形成されている。なお、水平ドレーン材５０は、図７（Ｂ）においては、４つの外壁５１〜５４を連結することにより形成されているが、これに限らず、複数段連結し、中空部２２の断面積が段階的に小さくなるように形成されるものであればいかなるものであってもよい。また、水平ドレーン材５０は、それぞれの外壁を突きさし嵌合することにより連結することに限らず、例えば、鉛直ドレーン材４０において用いた粘着テープ４５により、連結するようにしてもよく、また、接着剤、ステイプルなどの結束具等により連結させ形成するようにしてもよい。
【００２９】
また、水平ドレーン材２０の外壁２１は、断面略矩形形状であり、外壁２１により内部に中空部２２が形成される。水平ドレーン材２０は、図３に示すように、軟弱地盤２中から臨まされた鉛直ドレーン材１０の上端が外壁２１上に載置される。水平ドレーン材２０は、図２及び図３に示すように、直線状に配設された鉛直ドレーン材１０に沿って配置され、鉛直ドレーン材１０の上端が外壁２１上に載置されることにより、鉛直ドレーン材１０からの排水が水平ドレーン材２０に流入し、最終的に軟弱地盤２外に排出する。
【００３０】
なお、鉛直ドレーン材１０と水平ドレーン材２０とは、上述のように水平ドレーン材２０の外壁２１上に鉛直ドレーン材１０の上端を載置することに限らず、周知の連結部材を用いて連結するようにしてもよく、また、土嚢のような重石を載せ載置状態を維持するようにしてもよい。さらに、水平ドレーン材２０の外壁２１に開口部を設け、鉛直ドレーン材１０の上端を挿通し、通水を確保するようにしてもよい。
【００３１】
水平ドレーン材２０の外壁２１は、図６に示すように、透水性材料からなり、この外壁２１により中空部２２が設けられる。この中空部２２内には、ある程度の可撓性と形状保持性を有する芯材２３が設けられている。外壁２１は、断面が略矩形で、外壁２１と芯材２３との隙間により形成される中空部２２に、軟弱地盤２中の水分が通水される。
【００３２】
水平ドレーン材２０の芯材２３は、板状部材に凹凸を形成するエンボス加工が施されており、この凹凸により形成される間隙が中空部２２となる。水平ドレーン材２０は、この間隙を介して鉛直ドレーン材１０からの水分を軟弱地盤２外に排出する。芯材２３は、鉛直ドレーン材１０に用いられる芯材１３と同様に、地盤改良における地盤の沈下による追従性・伸縮性、運搬等の利便性を考慮してある程度の可撓性を有するとともに、鉛直ドレーン材１０からの水分の通水路となる中空部２２を確保するための形状保持性を有する、例えばプラスチック等の樹脂材料から形成される。芯材２３は、例えば、塩化ビニル、ポリエチレンなどの材料から形成される。また、芯材２３は、外壁２１の形状に合わせて、すなわち、外壁２１がその下流側端部２１ｂから上流側端部２１ａにかけて中空部２２の断面積が小さくなるように形成されていることに応じて、芯材２３の幅も小さくなるように形成されている。
【００３３】
なお、芯材２３は、上述に限らず、地盤改良における地盤の沈下による追従性・伸縮性、運搬等の利便性を考慮した可撓性と通水路となる中空部２２が確保できる形状保持性を有するものであれば、いかなる材質、形状からなるものであってもよい。また、芯材２３は、上述に限らず、生分解性の樹脂材料で形成することにより、環境へ配慮したものとすることができる。
【００３４】
外壁２１は、透水性を有する材料から形成され、芯材２３の外周を中空部２２を残して覆うように形成されている。外壁２１は、例えば、ポリエステル製の不織布から形成され、鉛直ドレーン材１０からの水分を中空部２２に透過等させ、透過した水分を排出する。なお、水平ドレーン材２０は、上述に限らず、外壁２１を塩化ビニルからなる不透水性材料により形成するようにしてもよい。さらに、外壁２１は、芯材２３と同様に、生分解性の樹脂材料で形成することにより、環境に配慮したものとすることができる。
【００３５】
なお、鉛直ドレーン材１０及び水平ドレーン材２０は、上述のように、厚みや幅のどちらか一方のみを暫時または段階的に変えることに限らず、厚み及び幅を暫時または段階的に変えるようにしてもよい。
【００３６】
以上のような構成を有する地盤改良装置１は、第１の盛土層３及び第２の盛土層４の圧密作用により、地盤中の水分等が鉛直ドレーン材１０の外壁１１を通過し、内部の中空部１２に流入し、この中空部１２を通って水平ドレーン材２０の中空部２２に流入し、排水される。各ドレーン材１０、２０は、それぞれ一端から他端にかけて、断面積が小さくなるように形成されており、この他端側が上流に、一端側が下流に位置するように配設される。このため、各ドレーン材１０、２０は、各位置における排水能力に応じた形状を有し、材料費の削減を行うことができる。また、各ドレーン材１０、２０は、流量に応じた断面積を有するので、効率的な排水を行うことができる。
【００３７】
なお、地盤改良装置１は、鉛直ドレーン材１０と水平ドレーン材２０とを設置し、盛土層４による圧密による地盤改良工法に用いられるものであるが、これに限らず、水平ドレーン材２０に減圧手段であるポンプを接続し、ポンプの作用により地盤中に負圧を付与するようにする地盤改良工法に用いるようにしてもよいのはもちろんである。
【００３８】
続いて、地盤改良装置１の他の実施の形態について説明をする。なお、地盤改良装置１と同一の構成については、同様の符号を付し、その説明を省略する。第２の実施の形態として示す地盤改良装置６０は、図８に示すように、軟弱地盤２中に所定の長さ地表面２ａから臨まされて打設された鉛直ドレーン材７０と、地表面２ａ上に盛られたサンドマット層６１と、サンドマット層６１上に覆われた密封シート６２と、サンドマット層６１内の水分を吸い出す排水ポンプ６３とから構成されている。
【００３９】
地盤改良装置６０は、軟弱地盤２上に覆われた密封シート６２により当該軟弱地盤２が圧密され、軟弱地盤２に所定の深さ、例えば３０〜５０［ｍ］に打設された鉛直ドレーン材７０により、地盤中の水分、空気等が図８中矢印Ａに示す方向、すなわち、地表面２ａに向かって流れ、サンドマット層６１に流れこんだ水分等が、排水ポンプ６３により排出され、地盤の改良を行う装置である。
【００４０】
サンドマット層６１は、通水性が良好な砂等から形成され、鉛直ドレーン材７０からの水分等を排水ポンプ６３に通水する。
【００４１】
密封シート６２は、サンドマット層６１を含む軟弱地盤２を覆い、当該軟弱地盤２を圧密するための不透水部材からなるシートである。密封シート６２の端部は、図８に示すように、圧密性を高めるために、地盤中に埋設されている。
【００４２】
鉛直ドレーン材７０は、鉛直ドレーン材１０と同様の構成を有し、図９に示すように、長尺状の外壁７１とこの外壁７１により囲まれて形成される中空部７２とを有する。鉛直ドレーン材７０の外壁７１は、透水性を有する透水部材から形成されている。鉛直ドレーン材７０の外壁７１は、図９（Ａ）に示すように、上端７１ｂから下端７１ａにかけて、中空部７２の断面積が小さくなるように形成されている。これは、上流側すなわち外壁７１の下端７１ａ側の排水能力と、下流側すなわち外壁７１の上端７１ｂ側の排水能力が異なり、下流側の方が排水の流量が多くなることを想定してのものであり、これにより材料費の節約を行うことができる。具体的には、鉛直ドレーン材７０の外壁７１は、図９（Ａ）に示すように、上端７１ｂにおける厚みＳ１と、下端７１ａにおける厚みＳ２とが、Ｓ１＞Ｓ２となる関係を有し、その厚みはＳ１から暫時Ｓ２となるように形成されている。また、鉛直ドレーン材７０には、上端７１ｂから所定の距離に亘って、不透水部７３が形成されている。この不透水部７３は、鉛直ドレーン材７０を軟弱地盤２中に打設した際に、地表面２ａから所定の深さ、例えば２〜３［ｍ］を不透水層とし、盛土層を設ける代わりとする役目を果たす。鉛直ドレーン材における不透水部は、いわゆる大気圧工法を用いる際に設けられる部材である。鉛直ドレーン材７０における不透水部７３は、不透水性の粘着テープ７４を巻回することにより形成してもよく、また、不透水性材料を塗布するようにして形成してもよい。
【００４３】
なお、鉛直ドレーン材７０の外壁７１は、鉛直ドレーン材１０と同様に、上端７１ｂから下端７１ａにかけて、中空部７２の断面積が次第に小さくなるように形成されることに限らず、例えば、図９（Ｂ）に示すように、上端から下端にかけて、中空部の断面積が段階的に小さくなるように形成されるものであってもよい。なお、図９（Ｂ）における鉛直ドレーン材の例は、図５（Ｂ）において示した鉛直ドレーン材４０のように、各外壁同士の端部を突き合わせることに止まらず、嵌入させて粘着テープ４５により連結するものを示している。
【００４４】
以上のような構成を有する地盤改良装置６０は、密封シート６２の圧密作用により、地盤中の水分等が鉛直ドレーン材７０の外壁７１を通過し、内部の中空部７２に流入し、この中空部７２を通ってサンドマット層６１に流入し、排水ポンプ６３により排水される。鉛直ドレーン材７０は、それぞれ一端から他端にかけて、断面積が小さくなるように形成されており、この他端側が上流に、一端側が下流に位置するように配設される。このため、鉛直ドレーン材７０は、各位置における排水能力に応じた形状を有し、材料費の削減を行うことができる。また、鉛直ドレーン材７０は、流量に応じた断面積を有するので、効率的な排水を行うことができる。
【００４５】
なお、地盤改良装置６０においては、サンドマット層６１を設ける例について説明をしたが、これに限らず、地盤改良装置１と同様に、水平ドレーン材を設けるようにしてもよい。
【００４６】
また、地盤改良装置１、６０においては、図１０に示すように、水平ドレーン材を地表面２ａ上に、格子状となるように、設置するようにしてもよい。このとき、水平ドレーン材は、軟弱地盤２の平面視中心付近から軟弱地盤２外に向かって排水することから、図１０に示すように、軟弱地盤２外側に向かうに連れて、断面積が大きくなるように配置するようにすることで、より効率的に、排水処理を行うことができる。なお、このような水平ドレーン材は、改良を予定する軟弱地盤の平面形状や排水を導く位置に応じて適宜選択するようにしてもよい。
【図面の簡単な説明】
【００４７】
【図１】地盤改良装置の概略を示した断面図である。
【図２】地盤改良装置の概略を示した平面図である。
【図３】鉛直ドレーン材と水平ドレーン材との連結を示した斜視図である。
【図４】鉛直ドレーン材の一部を示した破断斜視図である。
【図５】（Ａ）は、図４の鉛直ドレーン材のＡ−Ａ’線における断面図であり、（Ｂ）は、鉛直ドレーン材の他の実施の形態として示した断面図である。
【図６】水平ドレーン材の一部を示した破断斜視図である。
【図７】（Ａ）は、図６の水平ドレーン材のＢ−Ｂ’線における断面図であり、（Ｂ）は、水平ドレーン材の他の実施の形態として示した断面図である。
【図８】他の実施の形態として示す地盤改良装置の概略を示した断面図である。
【図９】他の実施の形態として示す地盤改良装置に用いられる鉛直ドレーン材の断面図である。
【図１０】水平ドレーン材の設置例を示した平面図である。
【符号の説明】
【００４８】
１、６０  地盤改良装置、２  軟弱地盤、２ａ  地表面、３  第１の盛土層、４  第２の盛土層、１０、４０、７０  鉛直ドレーン材、１１、２１、７１  外壁、１２、２２、７２  中空部、１３、２３  芯材、２０、５０  水平ドレーン材、４５  粘着テープ、６１  サンドマット層、６２  密封シート、６３  排水ポンプ、７３  不透水部、７４  粘着テープ
【図１】
0004874224.tif 000002
【図２】
0004874224.tif 000003
【図３】
0004874224.tif 000004
【図４】
0004874224.tif 000005
【図５】
0004874224.tif 000006
【図６】
0004874224.tif 000007
【図７】
0004874224.tif 000008
【図８】
0004874224.tif 000009
【図９】
0004874224.tif 000010
【図１０】
0004874224.tif 000011